【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
プラテンの表面に記録紙を吸引する吸引手段を有するプリンターにおける記録紙の吸引力制御方法であって、
温度検出手段で温度を検出し、
前記温度検出手段で検出された検出温度を取得し、
取得された前記検出温度に基づいて、前記吸引手段による吸引力を制御することを特徴とするプリンターにおける記録紙の吸引力制御方法。
【請求項２】
請求項１に記載のプリンターにおける記録紙の吸引力制御方法において、
前記プリンターの電源が投入されたときに、前記温度検出手段で温度を検出し、検出された前記検出温度を取得することを特徴とするプリンターにおける記録紙の吸引力制御方法。
【請求項３】
請求項１または2に記載のプリンターにおける記録紙の吸引力制御方法において、
上位機器から印刷データを受信すると、前記検出温度を取得することを特徴とするプリンターにおける記録紙の吸引力制御方法。
【請求項４】
請求項３に記載のプリンターにおける記録紙の吸引力制御方法において、
前記印刷データを受信してから前記印刷データの印刷が終了するまでの間、所定間隔で、前記検出温度を取得することを特徴とするプリンターにおける記録紙の吸引力制御方法。
【請求項５】
請求項１ないし４のうちのいずれか１項に記載のプリンターにおける記録紙の吸引力制御方法において、
取得された前記検出温度が予め定めた基準温度以上か否かを判定し、取得された前記検出温度が前記基準温度よりも低い場合には前記吸引力を第１吸引力にし、取得された前記検出温度が前記基準温度以上の場合には前記吸引力を前記第１吸引力よりも弱い第２吸引力にすることを特徴とするプリンターにおける記録紙の吸引力制御方法。
【請求項６】
プラテンの表面に記録紙を吸引する吸引手段を有するプリンターにおいて、
温度を検出する温度検出手段と、
前記温度検出手段で検出された検出温度を取得し、前記検出温度に基づいて前記吸引手段による吸引力を制御する制御部と、を有することを特徴とするプリンター。
【請求項７】
請求項６に記載のプリンターにおいて、
前記プリンターの電源が投入されたときに、
前記温度検出手段は温度を検出し、
前記制御部は検出された前記検出温度を取得することを特徴とするプリンター。
【請求項８】
請求項６に記載のプリンターにおいて、
前記制御部は、上位機器から印刷データを受信すると、前記検出温度を取得することを特徴とするプリンター。
【請求項９】
請求項８に記載のプリンターにおいて、
前記制御部は、前記印刷データを受信してから前記印刷データの印刷が終了するまでの間、所定間隔で前記検出温度を取得することを特徴とするプリンター。
【請求項１０】
請求項６ないし９のうちのいずれか１項に記載のプリンターにおいて、
前記吸引手段は、吸引ファンを含んでおり、
前記制御部は、前記吸引ファンの回転数を変えることにより前記吸引力を制御することを特徴とするプリンター。
【請求項１１】
請求項１０に記載のプリンターにおいて、
前記制御部は、
取得された前記検出温度が予め定めた基準温度以上か否かを判定する判定手段と、
前記検出温度が前記基準温度よりも低い場合には、前記吸引ファンの回転数が第１回転数になるように前記吸引ファンを駆動制御し、前記検出温度が前記基準温度以上の場合には、前記吸引ファンの回転数が前記第１回転数よりも少ない第２回転数になるように前記吸引ファンを駆動制御する吸引ファン出力制御手段と、
を備えていることを特徴とするプリンター。
【請求項１２】
請求項６ないし１１のうちのいずれか１項に記載のプリンターにおいて、
インクジェット印刷ヘッドを備えており、
前記温度検出手段は、インクの吐出制御を行うために前記インクジェット印刷ヘッドに取り付けられている温度センサーであることを特徴とするプリンター。
【手続補正２】
【補正対象書類名】明細書
【補正対象項目名】０００９
【補正方法】変更
【補正の内容】
【０００９】
上記の課題を解決するために、本発明は、プラテンの表面に記録紙を吸引する吸引手段を有するプリンターにおける記録紙の吸引力制御方法であって、温度検出手段で温度を検出し、前記温度検出手段で検出された検出温度を取得し、取得された前記検出温度に基づいて、前記吸引手段による吸引力を制御することを特徴とする。
【手続補正３】
【補正対象書類名】明細書
【補正対象項目名】００１１
【補正方法】変更
【補正の内容】
【００１１】
本発明において、吸引手段の吸引力を適切な強さに設定するためには、前記プリンターの電源が投入されたときに、前記温度検出手段で温度を検出し、検出された前記検出温度を取得することが望ましい。
【手続補正４】
【補正対象書類名】明細書
【補正対象項目名】００１４
【補正方法】変更
【補正の内容】
【００１４】
この場合において、吸引手段の吸引力の制御を簡易に行うためには、取得された前記検出温度が予め定めた基準温度以上か否かを判定し、前記基準温度よりも低い場合には前記吸引力を第１吸引力にし、取得された前記検出温度が前記基準温度以上の場合には前記吸引力を前記第１吸引力よりも弱い第２吸引力にすることが望ましい。
【手続補正５】
【補正対象書類名】明細書
【補正対象項目名】００１５
【補正方法】変更
【補正の内容】
【００１５】
次に、本発明は、プラテンの表面に記録紙を吸引するための吸引手段を有するプリンターにおいて、温度を検出する温度検出手段と、前記温度検出手段で検出された検出温度を取得し、前記検出温度に基づいて前記吸引手段による吸引力を制御する制御部と、を有することを特徴とする。
【手続補正６】
【補正対象書類名】明細書
【補正対象項目名】００１７
【補正方法】変更
【補正の内容】
【００１７】
本発明において、吸引手段の吸引力を適切な強さに設定するためには、前記制御部は、
前記プリンターの電源が投入されたときに、前記温度検出手段は温度を検出し、前記制御部は検出された前記検出温度を取得することが望ましい。
【手続補正７】
【補正対象書類名】明細書
【補正対象項目名】００１８
【補正方法】変更
【補正の内容】
【００１８】
また、本発明において、印刷ジョブが開始される前に吸引手段の吸引力を適切な強さに設定するためには、前記制御部は、上位機器から印刷データを受信すると、前記検出温度を取得することが望ましい。
【手続補正８】
【補正対象書類名】明細書
【補正対象項目名】００１９
【補正方法】変更
【補正の内容】
【００１９】
この場合において、印刷ジョブの間においても吸引手段の吸引力を適切な強さに変更するためには、前記制御部は、前記印刷データを受信してから前記印刷データの印刷が終了するまでの間、所定間隔で前記検出温度を取得することが望ましい。
【手続補正９】
【補正対象書類名】明細書
【補正対象項目名】００２１
【補正方法】変更
【補正の内容】
【００２１】
この場合において、吸引手段の吸引力の制御を簡易に行うためには、前記制御部は、取得された前記検出温度が予め定めた基準温度以上か否かを判定する判定手段と、前記検出温度が前記基準温度よりも低い場合には、前記吸引ファンの回転数が第１回転数になるように前記吸引ファンを駆動制御し、前記検出温度が前記基準温度以上の場合には、前記吸引ファンの回転数が前記第１回転数よりも少ない第２回転数になるように前記吸引ファンを駆動制御する吸引ファン出力制御手段と、を備えていることが望ましい。